(57)【要約】【解決手段】回動支持部３で互いに開閉動可能に支持した一対の鋏片１，２のうち、第一の鋏片１には一対の刃板８を備え、第二の鋏片２には第一の鋏片１の両刃板８間に挿入される刃板９を備えている。第二の鋏片２の刃板９において回動支持部３と刃先部１０ａとの間で設けた刃縁１０には凸部１２と凹部１３とを刃縁１０に沿って交互に並設した凹凸刃１１を設けている。文字が書かれた書面を両鋏片１，２により切断すると、その文字区域を各小片に分断し、その各小片の文字の判別を難しくする。また、第二の鋏片の刃板において刃縁には刃先部から連続する凸刃を設けた。【効果】鋏にシュレッダー的機能を持たせることができる。また、文字区域を書面から短冊状の切断片として切り離し易くすることができる。【選択図】図１
2007068975.tif 000002
【特許請求の範囲】
【請求項１】
回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸部と凹部とを刃縁に沿って交互に並設した凹凸刃を設けたことを特徴とする鋏。
【請求項２】
回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第一の鋏片の両刃板において回動支持部と刃先部との間に設けた刃縁にはその刃縁の延設方向に沿って延びる縦切刃を設け、この第二の鋏片の刃板において回動支持部と刃先部との間に設けた刃縁で厚み方向の両側には両鋏片の開閉時にこの第一の鋏片の両刃板の縦切刃に噛み合う縦切刃を設けるとともに、この第二の鋏片の刃板における刃縁でこの両縦切刃間には複数の横切刃を刃縁の延設方向に沿って並設したことを特徴とする鋏。
【請求項３】
前記第一の鋏片の両刃板において回動支持部と刃先部との間に設けた刃縁にはその刃縁の延設方向に沿って延びる縦切刃を設け、前記第二の鋏片の刃板において刃縁の凹凸刃の凸部及び凹部で厚み方向の両側には両鋏片の開閉時にこの第一の鋏片の両刃板の縦切刃に噛み合う縦切刃を設けるとともに、この第二の鋏片の刃板において刃縁の凹凸刃の凸部でこの両縦切刃間に横切刃を設けて刃縁の延設方向に沿って並設したことを特徴とする請求項１に記載の鋏。
【請求項４】
前記第二の鋏片の刃板において凹凸刃は、刃先部から回動支持部側に延びる先端側刃縁域を外してその先端側刃縁域から回動支持部側に延びる基端側刃縁域に設けられていることを特徴とする請求項１または請求項３に記載の鋏。
【請求項５】
前記第二の鋏片の刃板において凹凸刃は、刃先部から回動支持部側に延びる刃縁域に設けられていることを特徴とする請求項１または請求項３に記載の鋏。
【請求項６】
前記凹凸刃の凸部は、刃縁の延設方向で互いに並ぶ両横切刃と刃縁の厚み方向で互いに並ぶ両縦切刃とで囲まれた端部で突出する押圧部を有していることを特徴とする請求項３に記載の鋏。
【請求項７】
前記凹凸刃の凸部は尖端部を有し、その凸部の尖端部に前記横切刃を設けたことを特徴とする請求項３に記載の鋏。
【請求項８】
回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、この第二の鋏片の刃板において回動支持部と刃先部との間に設けた刃縁には凸刃を設けたことを特徴とする鋏。
【請求項９】
回動支持部で互いに開閉動可能に支持した一対の鋏片のうち、第一の鋏片には互いに並べた一対の刃板を備え、第二の鋏片にはこの第一の鋏片の両刃板間に挿入される刃板を備え、
この第一の鋏片の両刃板において回動支持部と刃先部との間に設けた刃縁にはその刃縁の延設方向に沿って延びる縦切刃を設け、
この第二の鋏片の刃板において回動支持部と刃先部との間に設けた刃縁には凸部を設け、この凸部を含む刃縁で厚み方向の両側には両鋏片の開閉時にこの第一の鋏片の両刃板の縦切刃に噛み合う縦切刃を設けるとともに、この第二の鋏片の刃板における刃縁の凸部でこの両縦切刃間には横切刃を設けた
ことを特徴とする鋏。
【請求項１０】
前記第二の鋏片の刃板における刃縁で凸部は刃先部から連続して形成されていることを特徴とする請求項９に記載の鋏。
【発明の詳細な説明】
【技術分野】
【０００１】
本発明は、シュレッダー的機能を有する鋏、並びに、短冊状に切り離す鋏に関するものである。
【背景技術】
【０００２】
下記特許文献１にかかる鋏では、回動支持部で互いに開閉動可能に支持した一対の鋏片のうち、一方の鋏片には互いに間隔をあけて並べた一対の刃板を備え、他方の鋏片にはこの一方の鋏片の両刃板間に挿入される刃板を備えている。
【特許文献１】特開平９−８４９６８号公報
【発明の開示】
【発明が解決しようとする課題】
【０００３】
上記特許文献１にかかる鋏では、図１８（ａ）に示すように文字３０が書かれた書面２９においてその文字３０がある区域３１の表裏両面に両鋏片の刃板を当てがい、その文字区域３１をそれらの刃板により切断すると、図１８（ｂ）に示すように、その文字区域３１には互いに平行な縦の両切り込み３２が形成される。この文字区域３１をその切り込み３２で切り抜いても、図１８（ｃ）に示すように、この文字区域３１を書面２９から短冊状に切り離せないことが多々あり、その際にはこの文字区域３１を破って書面２９から短冊状に切り離す必要があった。また、この文字区域３１を短冊状に切り離すことができるか否かにかかわらず、文字３０が切断されずに残るため、その文字３０を十分に読み取ることができる。
【０００４】
さらに、両鋏片のうち一方の鋏片の刃板が凹凸状に形成された散髪用すき鋏では、図１９（ａ）に示すように文字３０が書かれた書面２９においてその文字３０がある区域３１の表裏両面に両鋏片の刃板を当てがい、その文字区域３１をそれらの刃板により切断すると、図１９（ｂ）に示すように、その文字区域３１には縦横の切り込み４８が形成される。しかし、この文字区域３１は書面２９から切り離されずに書面２９にそのまま残るため、その文字３０を十分に読み取ることができる。
【０００５】
いずれにしても、これらの鋏はシュレッダー的機能を持たせる目的で設計されたものではない。
この発明はシュレッダー的機能を持たせる全く新しい発想のもとで設計された鋏を提供することを目的としている。また、この発明は文字区域を書面から短冊状に切り離し易くすることを目的としている。
【課題を解決するための手段】
【０００６】
後記実施形態の図面（図１，２，５に示す第１実施形態、図３，５に示す第２実施形態、図４，５に示す第３実施形態、図６に示す第１〜３実施形態の別例１、図７に示す第１〜３実施形態の別例２、図８に示す第１〜３実施形態の別例３、図９に示す第１〜３実施形態の別例４、図１０に示す第１〜３実施形態の別例５、図１１に示す第１〜３実施形態の別例６、図１２に示す第１〜３実施形態の別例７、図１３に示す第１〜３実施形態の別例８、図１４に示す第１〜３実施形態の別例９、図１５〜１７に示す第４実施形態）の符号を援用して本発明にかかる鋏（洋鋏または和鋏）を説明する。
【０００７】
請求項１の発明にかかる鋏は、第１〜３実施形態及びそれらの実施形態の別例１〜９に対応し、下記のように構成されている。
回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には凸部１２と凹部１３とを刃縁１０に沿って交互に並設した凹凸刃１１を設けている。
【０００８】
請求項２の発明にかかる鋏は、第１〜３実施形態及びそれらの実施形態の別例１〜９に対応し、下記のように構成されている。
回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第一の鋏片１の両刃板８において回動支持部３と刃先部２７ａとの間に設けた刃縁２７にはその刃縁２７の延設方向Ｘに沿って延びる縦切刃２８を設けている。この第二の鋏片２の刃板９において回動支持部３と刃先部１０ａとの間に設けた刃縁１０で厚み方向Ｚの両側には両鋏片１，２の開閉時にこの第一の鋏片１の両刃板８の縦切刃２８に噛み合う縦切刃２３，２６を設けるとともに、この第二の鋏片２の刃板９における刃縁１０でこの両縦切刃２３，２６間には複数の横切刃２２を刃縁１０の延設方向Ｘに沿って並設している。
【０００９】
請求項１の発明を前提とする請求項３の発明にかかる鋏は、第１〜３実施形態及びそれらの実施形態の別例１〜９に対応し、下記のように構成されている。
前記第一の鋏片１の両刃板８において回動支持部３と刃先部２７ａとの間に設けた刃縁２７にはその刃縁２７の延設方向Ｘに沿って延びる縦切刃２８を設けている。前記第二の鋏片２の刃板９において刃縁１０の凹凸刃１１の凸部１２及び凹部１３で厚み方向Ｚの両側には両鋏片１，２の開閉時にこの第一の鋏片１の両刃板８の縦切刃２８に噛み合う縦切刃２３を設けるとともに、この第二の鋏片２の刃板９において刃縁１０の凹凸刃１１の凸部１２でこの両縦切刃２３間に横切刃２２を設けて刃縁１０の延設方向Ｘに沿って並設している。
【００１０】
請求項２または請求項３の発明で、第二の鋏片２の刃板９において、横切刃２２は、両縦切刃２３間でその縦切刃２３に対し連続していることが好ましいが、切断可能であれば連続していなくてもよい。
【００１１】
請求項１〜３の発明では、文字３０が書かれた書面２９においてその文字区域３１を各小片３４に分断し、その各小片３４の文字３０の判別を難しくすることができる。
請求項１または請求項３の発明を前提とする請求項４の発明（第１，３実施形態及びそれらの実施形態の別例１〜９に対応）において、前記第二の鋏片２の刃板９で凹凸刃１１は、刃先部１０ａから回動支持部３側に延びる先端側刃縁域１４を外してその先端側刃縁域１４から回動支持部３側に延びる基端側刃縁域１５に設けられている。その基端側刃縁域１５は、先端側刃縁域１４から回動支持部３までの全域に設けても、先端側刃縁域１４から回動支持部３に至る途中まで設けてもよい。請求項４の発明では、凹凸刃１１のない先端側刃縁域１４を利用すれば、書面２９を短冊状にも切断することができる。
【００１２】
請求項１または請求項３の発明を前提とする請求項５の発明（第２実施形態及びその実施形態の別例１〜９に対応）において、前記第二の鋏片２の刃板９で凹凸刃１１は、刃先部１０ａから回動支持部３側に延びる刃縁域３５に設けられている。その刃縁域３５は、刃先部１０ａから回動支持部３までの全域に設けても、刃先部１０ａから回動支持部３に至る途中まで設けてもよい。請求項５の発明では、一度の切断により各小片３４に分断し得る文字区域３１を長くすることができる。
【００１３】
請求項３の発明を前提とする請求項６の発明（第１〜３実施形態の別例６〜９に対応）において、前記凹凸刃１１の凸部１２は、刃縁１０の延設方向Ｘで互いに並ぶ両横切刃２２と刃縁１０の厚み方向Ｚで互いに並ぶ両縦切刃２３とで囲まれた端部２１で突出する押圧部４２を有している。例えば、この押圧部４２は尖端部４３を有している。請求項６の発明では、切断時に押圧部４２が書面２９の文字区域３１にくい込むので、文字区域３１の分断をより一層確実に行うことができる。
【００１４】
請求項３の発明を前提とする請求項７の発明（第１〜３実施形態の別例２〜５，７，８に対応）において、前記凹凸刃１１の凸部１２は尖端部４１，４３を有し、その凸部１２の尖端部４１，４３に前記横切刃２２を設けている。請求項７の発明では、切断時に横切刃２２を有する尖端部４１，４３が書面２９の文字区域３１にくい込むので、文字区域３１の分断をより一層確実に行うことができる。
【００１５】
請求項８の発明にかかる鋏は、第４実施形態に対応し、下記のように構成されている。
回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第二の鋏片２の刃板９において回動支持部３と刃先部１０ａとの間に設けた刃縁１０には凸刃４４を設けている。
【００１６】
請求項８の発明では、刃板９の凸刃４４が両刃板８間に押し込まれるので、この凸刃４４により、縦の両切り込み３２と連続する横の切り込み３３が形成され易くなる。この縦の両切り込み３２と横の切り込み３３とにより、文字区域３１は書面２９から短冊状の切断片４７として切り離される。
【００１７】
請求項９の発明にかかる鋏は、第４実施形態に対応し、下記のように構成されている。
回動支持部３で互いに開閉動可能に支持した一対の鋏片１，２のうち、第一の鋏片１には互いに並べた一対の刃板８を備え、第二の鋏片２にはこの第一の鋏片１の両刃板８間に挿入される刃板９を備えている。この第一の鋏片１の両刃板８において回動支持部３と刃先部２７ａとの間に設けた刃縁２７にはその刃縁２７の延設方向Ｘに沿って延びる縦切刃２８を設けている。この第二の鋏片２の刃板９において回動支持部３と刃先部１０ａとの間に設けた刃縁１０には凸部４４を設け、この凸部４４を含む刃縁１０で厚み方向Ｚの両側には両鋏片１，２の開閉時にこの第一の鋏片１の両刃板８の縦切刃２８に噛み合う縦切刃２６，４５を設けるとともに、この第二の鋏片２の刃板９における刃縁１０の凸部４４でこの両縦切刃２８間には横切刃４６を設けている。
【００１８】
請求項９の発明では、刃板９で縦切刃４５及び横切刃４６を有する凸部４４が両刃板８間に押し込まれるので、この凸部４４の横切刃４６により、縦の両切り込み３２と連続する横の切り込み３３が形成され易くなる。この縦の両切り込み３２と横の切り込み３３とにより、文字区域３１は書面２９から短冊状の切断片４７として切り離される。
【００１９】
請求項９の発明を前提とする請求項１０の発明（第４実施形態に対応）において、前記第二の鋏片２の刃板９における刃縁１０で凸部４４は刃先部１０ａから連続して形成されている。請求項１０の発明では、回動支持部３から刃先部１０ａにわたる長い範囲で短冊状の切断片４７を切り離すことができる。
【００２０】
次に、請求項以外の技術的思想について実施形態の図面の符号を援用して説明する。
請求項１から請求項７のうちいずれかの請求項の発明を前提とする第１１の発明は、第１〜３実施形態及びそれらの実施形態の別例１〜９に対応する洋鋏に係り、下記のように構成されている。
【００２１】
この洋鋏においては、一対の鋏片１，２を回動支持部３でＸ状に交差させて互いに開閉動可能に支持し、この両鋏片１，２で回動支持部３よりも基端側に柄部４，５を設けるとともに回動支持部３よりも先端側に刃部６，７を設けている。第一の鋏片１の刃部６には互いに間隔Ｓをあけて並べた一対の刃板８を備えている。第二の鋏片２の刃部７にはこの第一の鋏片１の両刃板８間に挿入される刃板９を備えている。第１１の発明では、請求項１から請求項７のうちいずれかの請求項の発明の効果を洋鋏において発揮させることができる。
【００２２】
第１１の発明を前提とする第１２の発明は、第１実施形態及びその実施形態の別例１〜９に対応し、下記のように構成されている。
前記両鋏片１，２間の回動支持部３では第一の鋏片１の刃部６の両刃板８間に第二の鋏片２の刃部７の刃板９を挟持している。前記第一の鋏片１の柄部４において第一の鋏片１の刃部６の両刃板８から前記回動支持部３を介して延設された支持板１６間に連結板１７を挟持し、その連結板１７に指掛部１８を設けている。前記第二の鋏片２の柄部５において第二の鋏片２の刃部７の刃板９から延設された支持板１９に指掛部２０を設けている。第１２の発明では、洋鋏において第一の鋏片１の構造を簡単にすることができる。
【００２３】
第１１の発明を前提とする第１３の発明は、第２実施形態及びその実施形態の別例１〜９に対応し、下記のように構成されている。
前記両鋏片１，２間の回動支持部３では第一の鋏片１の刃部６の両刃板８間に第二の鋏片２の刃部７の刃板９を挟持している。前記第一の鋏片１の柄部４において第一の鋏片１の刃部６の両刃板８から前記回動支持部３を介して延設された支持板１６のうち、一方の刃板８から延設された一方の支持板１６に指掛部３６を設けるとともに、他方の刃板８から延設された他方の支持板１６に折曲部３７を設けてその折曲部３７を一方の支持板１６に重ねて連結している。前記第二の鋏片２の柄部５において第二の鋏片２の刃部７の刃板９から延設された支持板１９に指掛部２０を設けている。第１３の発明では、洋鋏において第一の鋏片１の構造を簡単にすることができる。
【発明の効果】
【００２４】
本発明は鋏にシュレッダー的機能を持たせることができる。また、本発明は文字区域３１を書面２９から短冊状の切断片４７として切り離し易くすることができる。
【発明を実施するための最良の形態】
【００２５】
まず、本発明の第１実施形態にかかる鋏について図１，２，５を参照して説明する。
一対の鋏片１，２が回動支持部３でＸ状に交差して互いに開閉動可能に支持されたいわゆる洋鋏において、この両鋏片１，２で回動支持部３よりも基端側に柄部４，５が設けられているとともに回動支持部３よりも先端側に刃部６，７が設けられている。第一の鋏片１の刃部６は互いに間隔Ｓをあけて並べられた一対の刃板８を備えている。第二の鋏片２の刃部７はこの第一の鋏片１の両刃板８間に挿入される刃板９を備えている。
【００２６】
この第二の鋏片２の刃板９において回動支持部３と刃先部１０ａとの間で設けられた刃縁１０には凹凸刃１１が設けられている。この凹凸刃１１においては、複数の凸部１２と複数の凹部１３とが刃縁１０の延設方向Ｘに沿って交互に並設されている。この凹凸刃１１は、刃先部１０ａから回動支持部３側に延びる先端側刃縁域１４を外してその先端側刃縁域１４から回動支持部３までの全域で延びる基端側刃縁域１５に設けられている。
【００２７】
前記両鋏片１，２間の回動支持部３では第一の鋏片１の刃部６の両刃板８間に第二の鋏片２の刃部７の刃板９が挟持されている。第一の鋏片１の柄部４において第一の鋏片１の刃部６の両刃板８から回動支持部３を介して延設された支持板１６間には連結板１７が挟持されて取着され、その連結板１７に環状の指掛部１８が設けられている。第二の鋏片２の柄部５において第二の鋏片２の刃部７の刃板９から延設された支持板１９には環状の指掛部２０が設けられている。
【００２８】
前記凹凸刃１１の各凸部１２において平坦な端部２１は長方形状をなしている。刃縁１０の延設方向Ｘで対辺になる端部２１の角縁には横切刃２２が刃縁１０の厚み方向Ｚに沿って互いに平行に延びるように形成されているとともに、刃縁１０の厚み方向Ｚで対辺になる端部２１の角縁には縦切刃２３が刃縁１０の延設方向Ｘに沿って互いに平行に延びるように形成されている。この両横切刃２２と両縦切刃２３とは互いに連続して端部２１を囲っている。この各凸部１２においては、その端部２１の両横切刃２２から各凹部１３の底部に向けて刃縁１０の幅方向Ｙへ延びる内側面２４と、その端部２１の両縦切刃２３から各凹部１３の底部に向けて刃縁１０の幅方向Ｙへ延びる外側面２５とが設けられている。前記凹凸刃１１の各凹部１３において刃縁１０の厚み方向Ｚで対辺になる底部の角縁や、この両内側面２４と両外側面２５との境になる角縁にも縦切刃２３が形成されている。この凹凸刃１１において、各凸部１２の横切刃２２は各凹部１３で互いに間隔をあけて刃縁１０の延設方向Ｘに沿って並設されているとともに、各凸部１２及び各凹部１３の縦切刃２３は刃縁１０の延設方向Ｘに沿って延設されている。この各凸部１２で刃縁１０の延設方向Ｘの長さは各凹部１３で刃縁１０の延設方向Ｘの長さよりも大きくなっている。
【００２９】
第二の鋏片２の刃板９の刃縁１０において凹凸刃１１のない先端側刃縁域１４で厚み方向Ｚの両側には縦切刃２６が刃縁１０の延設方向Ｘに沿って連続的に形成されている。第一の鋏片１の両刃板８において回動支持部３と刃先部２７ａとの間で設けられた刃縁２７には縦切刃２８が刃縁２７の延設方向Ｘに沿って連続的に形成されている。両鋏片１，２の開閉時には、第一の鋏片１の両刃板８の刃縁２７における縦切刃２８と第二の鋏片２の刃板９における刃縁１０の各縦切刃２３及び縦切刃２６とが互いに噛み合い、第二の鋏片２の刃板９における刃縁１０の各横切刃２２が第一の鋏片１の両刃板８の刃縁２７における縦切刃２８間でその縦切刃２８に連続する。なお、実際には、この両刃板８の刃縁２７の刃先部２７ａは、噛み合い抵抗を持たせるために互いに接触し、両刃板８間に対する刃板９の挿入により互いに広がる。
【００３０】
図５（ａ）に示すように文字３０が書かれた書面２９においてその文字３０がある区域３１の表裏両面に両鋏片１，２の刃部６，７を当てがい、その文字区域３１を凹凸刃１１により切断すると、図５（ｂ）に示すように、その文字区域３１には、両刃板８の刃縁２７の縦切刃２８と、刃板９の刃縁１０で凹凸刃１１の各凸部１２及び各凹部１３の縦切刃２３との噛み合いにより、互いに平行な縦の両切り込み３２が形成されるとともに、刃板９の刃縁１０で凹凸刃１１の各凸部１２の横切刃２２により、この両切り込み３２と連続する横の切り込み３３が形成される。この文字区域３１をそれらの切り込み３２，３３で切り抜くと、図５（ｃ）（ｄ）に示すように、この文字区域３１は各小片３４に分断されて切り離され、その各小片３４の文字３０を判別することが難しくなる。また、この凹凸刃１１を使用せず、両刃板８の刃縁２７の縦切刃２８と、刃板９の刃縁１０で先端側刃縁域１４の両縦切刃２６との噛み合いにより、書面２９を短冊状にも切断することができる。
【００３１】
次に、本発明の第２実施形態にかかる鋏について第１実施形態との相違点を中心に図３，５を参照して説明する。
前記第二の鋏片２の刃板９において凹凸刃１１は、刃先部１０ａから回動支持部３までの全部にある刃縁域３５に設けられている。第一の鋏片１の刃部６の両刃板８における刃縁２７には縦切刃２８を付けるための刃付け面２７ｂが傾斜状に形成されている。
【００３２】
前記第一の鋏片１の柄部４において第一の鋏片１の刃部６の両刃板８から前記回動支持部３を介して延設された支持板１６のうち、一方の刃板８から延設された一方の支持板１６には環状の指掛部３６が設けられているとともに、他方の刃板８から延設された他方の支持板１６には折曲部３７が設けられてその折曲部３７が一方の支持板１６に対し直接重ねられて連結されている。
【００３３】
なお、この第２実施形態の洋鋏においても、図５（ａ）（ｂ）（ｃ）（ｄ）に示す第１実施形態の洋鋏による切断作用と同様に、文字３０が書かれた書面２９から各小片３４が分断されて切り離され、その各小片３４の文字３０を判別することが難しくなる。
【００３４】
次に、本発明の第３実施形態にかかる鋏について第１実施形態との相違点を中心に図４，５を参照して説明する。
前記第一の鋏片１の柄部４において第一の鋏片１の刃部６の両刃板８から前記回動支持部３を介して延設された支持板１６のうち、一方の刃板８から延設された一方の支持板１６には環状の指掛部３６が設けられているとともに、他方の刃板８から延設された他方の支持板１６とこの一方の支持板１６との間に間隔保持板３８が挟持されてこの両支持板１６がこの間隔保持板３８を介して互いに連結されている。この間隔保持板３８はプラスチックにより成形してもよい。
【００３５】
第一の鋏片１の柄部４において一方の支持板１６に形成された両切欠部３９，４０のうち、狭い切欠部３９はＣＤＲＯＭやＦＰディスクなど比較的折り易い薄目の電子部品を折る際に使用し、広い切欠部４０はＰＣカードやスティックメモリなど比較的折りにくい厚目の電子部品を折る際に使用する。
【００３６】
なお、この第２実施形態の洋鋏においても、図５（ａ）（ｂ）（ｃ）（ｄ）に示す第１実施形態の洋鋏による切断作用と同様に、文字３０が書かれた書面２９から各小片３４が分断されて切り離され、その各小片３４の文字３０を判別することが難しくなる。
【００３７】
次に、第１〜３実施形態の別例１〜９について図６〜１４を参照して説明する。これらの別例１〜９は第１〜３実施形態における凹凸刃１１の形態を変更している。
図６に示す第１〜３実施形態の別例１は第１実施形態と比較して下記の点で異なる。
【００３８】
凹凸刃１１の各凸部１２において、各凹部１３で相対向する内側面２４の間隔が凸部１２の端部２１から凹部１３の底部へ向うに従い次第に狭まり、両外側面２５で両内側面２４との境となる両角縁の縦切刃２３が凸部１２の端部２１から凹部１３の底部へ向うに従い次第に広がるように傾斜している。
【００３９】
図７に示す第１〜３実施形態の別例２は第１実施形態と比較して下記の点で異なる。
凹凸刃１１の各凸部１２において、両外側面２５が鋸刃状をなし、この両外側面２５の頂部を結ぶ尖端部４１に横切刃２２が形成されている。
【００４０】
図８に示す第１〜３実施形態の別例３は、上記別例２と比較して、鋸刃状をなす両外側面２５の向きが逆になっている点で異なる。
図９に示す第１〜３実施形態の別例４は第１実施形態と比較して下記の点で異なる。
【００４１】
凹凸刃１１の各凸部１２において、両外側面２５が二等辺三角形状をなし、この両外側面２５の頂部を結ぶ尖端部４１に横切刃２２が形成されている。
図１０に示す第１〜３実施形態の別例５は、上記別例４と比較して、尖端部４１に僅かな丸みを持たせている点で異なる。
【００４２】
図１１に示す第１〜３実施形態の別例６は第１実施形態と比較して下記の点で異なる。
凹凸刃１１の各凸部１２において、両横切刃２２と両縦切刃２３とで囲まれた端部に押圧部４２が突設されている。両内側面２４で押圧部４２は二等辺三角形状をなし、両横切刃２２間の頂部を結ぶ尖端部４３が形成されている。
【００４３】
図１２に示す第１〜３実施形態の別例７は第１実施形態と比較して下記の点で異なる。
凹凸刃１１の各凸部１２において、両横切刃２２と両縦切刃２３とで囲まれた端部に押圧部４２が突設されている。両外側面２５で押圧部４２は二等辺三角形状をなし、両縦切刃２３間の頂部を結ぶ尖端部４３に横切刃２２が形成されている。
【００４４】
図１３に示す第１〜３実施形態の別例８は、上記別例７と比較して、各凹部１３の底部の形状を変更している点で異なる。
図１４に示す第１〜３実施形態の別例９は第１実施形態と比較して下記の点で異なる。
【００４５】
凹凸刃１１の各凸部１２において、両横切刃２２と両縦切刃２３とで囲まれた端部に正四角錐形状の押圧部４２が突設され、その押圧部４２の頂部に尖端部４３が形成されている。
【００４６】
次に、本発明の第４実施形態にかかる鋏について第１実施形態との相違点を中心に図１５〜１７を参照して説明する。
第１実施形態において第二の鋏片２の刃板９の刃縁１０に設けられた凹凸刃１１が省略され、その刃縁１０で凸刃としての凸部４４が刃先部１０ａから連続して形成されている。この凸部４４のない刃縁１０で厚み方向Ｚの両側には両鋏片１，２の開閉時に第一の鋏片１の両刃板８の縦切刃２８に噛み合う縦切刃２６が形成されている。この刃縁１０の凸部４４において、厚み方向の両側には両鋏片１，２の開閉時に第一の鋏片１の両刃板８の縦切刃２８に噛み合う縦切刃４５が前記縦切刃２６から連続して形成されているとともに、この両縦切刃４５間には横切刃４６が形成されている。この凸部４４の形状としては図１６（ｄ）（ｅ）（ｆ）に示すものなど各種のものを採用することができる。
【００４７】
文字３０が書かれた書面２９においてその文字３０がある区域３１の表裏両面に両鋏片１，２の刃板８，９を当てがい、その文字区域３１をそれらの刃板８，９により切断すると、その文字区域３１には互いに平行な縦の両切り込み３２が形成されるとともに、刃板９の凸部４４が両刃板８間に押し込まれ、この凸部４４の横切刃４６により、この両切り込み３２と連続する横の切り込み３３が形成される。そのため、この文字区域３１をその切り込み３２，３３で切り抜くと、図１７（ｃ）（ｄ）に示すように、この文字区域３１は短冊状の切断片４７として書面２９から切り離される。
【００４８】
前記各実施形態以外にも下記のように構成してもよい。
＊  第１〜３実施形態にかかる第一の鋏片１の刃部６において両刃板８の刃縁２７の刃先部２７ａ間は互いに離間しているが、この刃先部２７ａ間を互いに繋げる。
【００４９】
＊  第１〜３実施形態にかかる第二の鋏片２の刃部７の刃板９において凹凸刃１１については、刃板９をプレスにより一体成形して切込みにより舌片板を設けた後、その舌片板を起こして凸部と凹部とを形成する。
【００５０】
＊  第４実施形態にかかる第二の鋏片２の刃部７の刃板９において凸部４４を刃縁１０の刃先部１０ａから少し離して設ける。
＊  第１〜４実施形態では、第一の鋏片１の刃部６に二枚の刃板８を設けるとともに、第二の鋏片２の刃部７にはこの両刃板８間に挿入される一枚の刃板９を設けた。そのほか、刃部６に三枚の刃板８を設けるとともに、刃部７にはこの各刃板８間に挿入される二枚の刃板９を設けてもよい。すなわち、三枚の刃板８は中間の刃板８とその中間の刃板８を挟む一側の刃板８及び他側の刃板８とからなり、中間の刃板８と一側の刃板８との間に一枚の刃板９を挿入して一組の刃板群（一対の刃板８とそれらの刃板８間に挿入される刃板９）になるとともに、中間の刃板８と他側の刃板８との間に一枚の刃板９を挿入して一組の刃板群（一対の刃板８とそれらの刃板８間に挿入される刃板９）になる。その場合、二組の刃板群において中間の刃板８は兼用される。
【００５１】
＊  第一の鋏片１の刃部６に二枚の刃板８を設けるとともに、第二の鋏片２の刃部７にも二枚の刃板９を設け、二枚の刃板９のうち一方の刃板９を両刃板８間に挿入し、二枚の刃板８のうち一方の刃板８を両刃板９間に挿入する。すなわち、二枚の刃板８は中間の刃板８と一側の刃板８とからなり、二枚の刃板９は中間の刃板９と他側の刃板９とからなり、中間の刃板９が中間の刃板８と一側の刃板８との間に挿入されて一組の刃板群（一対の刃板８とそれらの刃板８間に挿入される刃板９）になるとともに、中間の刃板８が中間の刃板９と他側の刃板９との間に挿入されて一組の刃板群（一対の刃板９とそれらの刃板９間に挿入される刃板８）になる。その場合、二組の刃板群において中間の刃板８，９は兼用される。
【図面の簡単な説明】
【００５２】
【図１】（ａ）は第１実施形態にかかる鋏において開状態を示す斜視図であり、（ｂ）は同じく正面図である。
【図２】（ａ）は第１実施形態にかかる鋏において閉状態を示す正面図であり、（ｂ）は同じく部分平面図であり、（ｃ）は（ａ）に示す刃部の部分断面図であり、（ｄ）は図１に示す凹凸刃の部分正面図であり、（ｅ）は（ｄ）の平面図である。
【図３】（ａ）は第２実施形態にかかる鋏において開状態を示す正面図であり、（ｂ）は第２実施形態にかかる鋏において閉状態を示す部分平面図であり、（ｃ）は（ｂ）に示す刃部の部分断面図である。
【図４】（ａ）は第３実施形態にかかる鋏において開状態を示す正面図であり、（ｂ）は第３実施形態にかかる鋏において閉状態を示す部分平面図である。
【図５】（ａ）（ｂ）（ｃ）（ｄ）は第１〜３実施形態にかかる鋏による切断作用を説明するための模式図である。
【図６】（ａ）は第１〜３実施形態の別例１において凹凸刃の部分正面図であり、（ｂ）は（ａ）の平面図である。
【図７】（ａ）は第１〜３実施形態の別例２において凹凸刃の部分正面図であり、（ｂ）は（ａ）の平面図である。
【図８】（ａ）は第１〜３実施形態の別例３において凹凸刃の部分正面図であり、（ｂ）は（ａ）の平面図である。
【図９】（ａ）は第１〜３実施形態の別例４において凹凸刃の部分正面図であり、（ｂ）は（ａ）の平面図である。
【図１０】（ａ）は第１〜３実施形態の別例５において凹凸刃の部分正面図であり、（ｂ）は（ａ）の平面図である。
【図１１】（ａ）は第１〜３実施形態の別例６において凹凸刃の部分正面図であり、（ｂ）は（ａ）の平面図であり、（ｃ）は（ａ）の部分斜視図である。
【図１２】（ａ）は第１〜３実施形態の別例７において凹凸刃の部分正面図であり、（ｂ）は（ａ）の平面図であり、（ｃ）は（ａ）の部分斜視図である。
【図１３】（ａ）は第１〜３実施形態の別例８において凹凸刃の部分正面図であり、（ｂ）は（ａ）の平面図であり、（ｃ）は（ａ）の部分斜視図である。
【図１４】（ａ）は第１〜３実施形態の別例９において凹凸刃の部分正面図であり、（ｂ）は（ａ）の平面図であり、（ｃ）は（ａ）の部分斜視図である。
【図１５】（ａ）は第４実施形態にかかる鋏において開状態を示す斜視図であり、（ｂ）は同じく正面図である。
【図１６】（ａ）は第４実施形態にかかる鋏において閉状態を示す正面図であり、（ｂ）は同じく部分平面図であり、（ｃ）は（ａ）に示す刃部の部分断面図であり、（ｄ）は図１５に示す凸刃の部分斜視図であり、（ｅ）は第４実施形態の別例１にかかる凸刃の部分斜視図であり、（ｆ）は第４実施形態の別例２にかかる凸刃の部分斜視図である。
【図１７】（ａ）（ｂ）（ｃ）（ｄ）は第４実施形態にかかる鋏による切断作用を説明するための模式図である。
【図１８】（ａ）（ｂ）（ｃ）は従来の鋏による切断作用を説明するための模式図である。
【図１９】（ａ）（ｂ）は従来の鋏による切断作用を説明するための模式図である。
【符号の説明】
【００５３】
１…第一の鋏片、２…第二の鋏片、３…回動支持部、８…刃板、９…刃板、１０…刃板の刃縁、１０ａ…刃先部、１１…凹凸刃、１２…凹凸刃の凸部、１３…凹凸刃の凹部、１４…先端側刃縁域、１５…基端側刃縁域、２１…端部、２２…横切刃、２３…縦切刃、２６…縦切刃、２７…刃縁、２７ａ…刃先部、２８…縦切刃、３５…刃縁域、４１…尖端部、４２…押圧部、４３…尖端部、４４…凸刃としての凸部、４５…縦切刃、４６…横切刃、Ｓ…間隔、Ｘ…刃縁の延設方向、Ｚ…刃縁の厚み方向。
【図１】
2007068975.tif 000003
【図２】
2007068975.tif 000004
【図３】
2007068975.tif 000005
【図４】
2007068975.tif 000006
【図５】
2007068975.tif 000007
【図６】
2007068975.tif 000008
【図７】
2007068975.tif 000009
【図８】
2007068975.tif 000010
【図９】
2007068975.tif 000011
【図１０】
2007068975.tif 000012
【図１１】
2007068975.tif 000013
【図１２】
2007068975.tif 000014
【図１３】
2007068975.tif 000015
【図１４】
2007068975.tif 000016
【図１５】
2007068975.tif 000017
【図１６】
2007068975.tif 000018
【図１７】
2007068975.tif 000019
【図１８】
2007068975.tif 000020
【図１９】
2007068975.tif 000021